(57)【要約】【課題】  高さを制限しつつ小束紙幣を円滑に小束出金口から出金させることができる小束紙幣処理機の提供。【解決手段】  小束紙幣Ｗを小束出金口５１から機外へ出金させるもので、小束出金口５１の直前位置には、小束紙幣Ｗの搬送方向長さより長い間隔をあけて形成された複数の区分部６４を有し隣り合う区分部６４間の載置面６７に小束紙幣Ｗを載置させて搬送する搬送ベルト６１が設けられている。【選択図】        図２
2006293733.tif 000002
【特許請求の範囲】
【請求項１】
小束紙幣を小束出金口から機外へ出金させる小束紙幣処理機であって、
前記小束出金口の直前位置には、小束紙幣の搬送方向長さより長い間隔をあけて形成された複数の区分部を有し隣り合う前記区分部間の載置面に小束紙幣を載置させて搬送する搬送ベルトが設けられていることを特徴とする小束紙幣処理機。
【請求項２】
前記搬送ベルトの上側に、該搬送ベルトに小束紙幣を押し付ける押付手段が設けられていることを特徴とする請求項１記載の小束紙幣処理機。
【請求項３】
前記搬送ベルトは、搬送方向に分離した状態で複数の小束紙幣を同時に載置可能であることを特徴とする請求項１または２記載の小束紙幣処理機。
【請求項４】
前記小束出金口には、該小束出金口から一部突出した状態の小束紙幣の少なくとも後端部を前記搬送ベルトから上下方向に相対的に離間させる離間手段が設けられていることを特徴とする請求項３記載の小束紙幣処理機。
【発明の詳細な説明】
【技術分野】
【０００１】
本発明は、小束紙幣を取り扱う小束紙幣処理機に関する。
【背景技術】
【０００２】
バラ紙幣を結束する紙幣結束機に関する技術として、機体下部右側に、入金口に入金されたバラ紙幣を搬送しつつ識別し、識別結果に基づいて金種別に一時貯留させるとともに、入金が確定するとバラ紙幣を金種別に収納させるバラ紙幣処理部が設けられ、機体上部に、バラ紙幣処理部から繰り出されたバラ紙幣を所定枚数ずつ集積させて結束テープを巻き回して小束紙幣とする結束処理部が設けられ、さらに、機体下部左側に小束紙幣を出金可能に金種別の束収納部に収納させる束紙幣処理部が設けられたものがある（例えば特許文献１参照）。この紙幣結束機は、金融機関において窓口から離れた別室に置かれ、いわゆる出納機として用いられるものであり、その大きさに比較的制限が少ないものである。
【０００３】
これに対して、窓口に置かれるテラー機は、テラーカウンタの下側に配置されるものであることから、小型化が必要であり、特に高さ方向の大きさに制限がある。このような理由から、テラー機は、機能を絞る必要があり、紙幣については通常バラ紙幣のみを取り扱うようになっている。しかしながら、テラー機においても小束紙幣を出金させる要望があり、別途結束された小束紙幣を収納し出金させる装置が開示されている（例えば特許文献２参照）。
【特許文献１】特開２０００−１７７９３５号公報
【特許文献２】特開平１−９４４９４号公報
【発明の開示】
【発明が解決しようとする課題】
【０００４】
しかしながら、さらに要望は深まり、テラー機においてもバラ紙幣を結束させる機能を組み込む要望が生じてきている。このような要望に応えるためには、結束部で結束された小束紙幣を高さを制限しつつ円滑にテラー側の小束出金口に出金させる必要があった。勿論、このような要望はテラー機に限らずとも生じる可能性がある。
【０００５】
したがって、本発明は、高さを制限しつつ小束紙幣を円滑に小束出金口から出金させることができる小束紙幣処理機の提供を目的とする。
【課題を解決するための手段】
【０００６】
上記目的を達成するために、請求項１に係る発明は、小束紙幣を小束出金口から機外へ出金させる小束紙幣処理機であって、前記小束出金口の直前位置には、小束紙幣の搬送方向長さより長い間隔をあけて形成された複数の区分部を有し隣り合う前記区分部間の載置面に小束紙幣を載置させて搬送する搬送ベルトが設けられていることを特徴としている。
【０００７】
請求項２に係る発明は、請求項１に係る発明において、前記搬送ベルトの上側に、該搬送ベルトに小束紙幣を押し付ける押付手段が設けられていることを特徴としている。
【０００８】
請求項３に係る発明は、請求項１または２に係る発明において、前記搬送ベルトは、搬送方向に分離した状態で複数の小束紙幣を同時に載置可能であることを特徴としている。
【０００９】
請求項４に係る発明は、請求項３に係る発明において、前記小束出金口には、該小束出金口から一部突出した状態の小束紙幣の少なくとも後端部を前記搬送ベルトから上下方向に相対的に離間させる離間手段が設けられていることを特徴としている。
【発明の効果】
【００１０】
請求項１に係る発明によれば、小束出金口の直前位置に設けられた搬送ベルトが、小束紙幣の搬送方向長さより長い間隔をあけて形成された複数の区分部の隣り合うもの同士の間に小束紙幣を載置させて小束出金口に搬送するため、高さを制限しつつ小束紙幣を小束紙幣同士を分離した状態で円滑に小束出金口から出金させることができる。
【００１１】
請求項２に係る発明によれば、搬送ベルトの上側に設けられた押付手段が、小束紙幣を搬送ベルトに押し付けるため、区分部の隣り合うもの同士の間に載置させられた小束紙幣をその状態に良好に維持しつつ搬送できる。
【００１２】
請求項３に係る発明によれば、搬送ベルトが、搬送方向に分離した状態で複数の小束紙幣を同時に載置可能であるため、搬送ベルトへ複数束の小束紙幣が間隔をあけて送り出される場合であっても、複数の小束紙幣を出金前に纏めることができ、纏めて小束出金口から出金させることができる。したがって、受け取る側が複数束を纏めて受け取ることができ、受け取りが容易となる。
【００１３】
請求項４に係る発明によれば、小束紙幣を複数束を纏めて出金させる場合に、１束目の小束紙幣を小束出金口から一部突出させた状態で、少なくともその後端部を小束出金口に設けられた離間手段で搬送ベルトから上下方向に相対的に離間させると、搬送ベルトによる搬送の影響を受けることなく１束目の小束紙幣を停止させることができる。この状態で、間隔をあけて送り出される後続の小束紙幣を搬送ベルトに纏めることができ、纏めて小束出金口から出金させることができる。したがって、複数の小束紙幣を纏めて小束出金口から出金させる場合であっても、１束目の小束紙幣を小束出金口から一部突出させた状態とすることで、出金処理が良好に行われていることを視認させることができる。
【発明を実施するための最良の形態】
【００１４】
本発明の第１実施形態に係る貨幣入出金機（小束紙幣処理機）を図１〜図６を参照して以下に説明する。
【００１５】
第１実施形態の貨幣入出金機１１は、図１に示すように、その機体１２が略直方体形状をなしており、入金されたバラ紙幣を収納し、収納したバラ紙幣を必要に応じて出金させるバラ紙幣処理部１３が下部に設けられる一方、その上側の中間層部に、必要によりバラ紙幣を所定枚数（１００枚）で結束して小束紙幣として出金させる束紙幣処理部１４が設けられ、その上側の上層部に、入金されたバラ硬貨を収納し、収納したバラ硬貨を必要に応じて出金させるバラ硬貨処理部１５が設けられている。この貨幣入出金機１１は、金融機関においてテラーカウンタの下側に配置されるテラー機である。
【００１６】
バラ紙幣処理部１３には、その機体１２の前面１２Ｆ側の上部に、バラ紙幣が長手方向を機体左右方向に沿わせた姿勢で積層状態で投入される入金口２１が設けられており、この入金口２１のさらに上側に機体１２内からバラ紙幣が繰り出されるバラ出金口２２が設けられ、入金口２１の下側に機体１２内からリジェクト紙幣が繰り出されるリジェクト口２３が設けられている。
【００１７】
また、バラ紙幣処理部１３には、入金口２１から一枚ずつ分離して機体１２内に取り込まれたバラ紙幣の金種、真偽、正損、表裏方向および搬送異常の有無の識別と計数とを行う入金識別部２５が設けられており、その下流側に入金識別部２５の識別結果に基づいてバラ紙幣の表裏を取り揃える表裏取揃部２６が設けられている。
【００１８】
さらに、バラ紙幣処理部１３には、入金識別部２５で受入可能と識別され、表裏取揃部２６で表裏が取り揃えられたバラ紙幣を入金識別部２５の鑑別結果に基づいて分類し、集積状態で一時貯留させる一時貯留部３０〜３４が設けられており、各一時貯留部３０〜３４の下方に、上方の一時貯留部３０からバラ紙幣を受け入れて収納する収納部３７および一時貯留部３１〜３４のうち上方のものからバラ紙幣を受け入れて収納するとともに収納した紙幣を最下のものから一枚ずつ出金可能な収納部３８〜４１が一対一で設けられている。なお、入金識別部２５で受入可能と識別された紙幣を一時貯留部３０〜３４に貯留させずにそのまま束紙幣処理部１４に搬送して結束させることも可能となっている。
【００１９】
加えて、バラ紙幣処理部１３には、上記した収納部３８〜４１から出金されたバラ紙幣の金種、真偽、正損および搬送異常の有無の識別と計数とを行う出金判別部４４と、出金判別部４４の判別結果に基づき出金リジェクト紙幣を収納する出金リジェクトボックス４５とが設けられている。ここで、バラ紙幣処理部１３から出金され、出金判別部４４で判別されたバラ紙幣は、バラ出金口２２、出金リジェクトボックス４５および束紙幣処理部１４に選択的に搬送可能とされている。
【００２０】
束紙幣処理部１４には、バラ紙幣処理部１３から搬送されてきた紙幣を上下方向に集積させる集積部４８と、その前側にあって、集積された紙幣を受け取って結束テープを巻き回す、つまり結束テープで結束する結束処理を行って小束紙幣Ｗとする結束部４９と、結束部４９で結束された小束紙幣Ｗを、前進する押圧板５３によって、水平延在する搬送面５４上で滑らせながら機体前方に略水平に押し出す受渡機構部５２と、受渡機構部５２で受け渡された小束紙幣Ｗを搬送する小束搬送部５０とを有している。この小束搬送部５０は、束紙幣処理部１４における機体１２の前面１２Ｆ側に設けられた小束出金口５１に、その後方の結束部４９から受渡機構部５２を介して受け取った小束紙幣Ｗを搬送する。
【００２１】
上記のような構成のバラ紙幣処理部１３および束紙幣処理部１４においては、入金口２１に投入されたバラ紙幣を機体１２内に収納するバラ紙幣収納処理時および入金口２１に投入されたバラ紙幣のうち指定金種の紙幣を結束して小束紙幣Ｗとするローカル整理処理時において、入金口２１に投入され機体１２内に取り込まれたバラ紙幣は、まず入金識別部２５で識別されることになる。そして、入金識別部２５で真紙幣かつ正紙幣かつ正常搬送の紙幣と識別された紙幣以外のバラ紙幣がリジェクト口２３に返却される。
【００２２】
入金識別部２５で真紙幣かつ正紙幣かつ正常搬送の紙幣と識別されたバラ紙幣は、適宜表裏取揃部２６で表裏が取り揃えられた後、バラ紙幣収納処理時においては、一時貯留部３１〜３４の対応する金種のものに送り込まれることになり、一時貯留部３１〜３４で一時貯留された後、入金識別部２５による識別結果の図示略の表示部への表示に基づいて入金確定操作が図示略の操作部に入力されると、金種別に分けられた状態で収納部３８〜４１に収納される。他方、入金識別部２５で真紙幣かつ正紙幣かつ正常搬送の紙幣と識別されたバラ紙幣は、ローカル整理処理時には、適宜表裏取揃部２６で表裏が取り揃えられた後、束紙幣処理部１４の集積部４８に送られることになる。ここで、集積部４８では、送り込まれた紙幣を位置を合わせて所定枚数上下方向に集積させる。
【００２３】
収納部３８〜４１に収納されたバラ紙幣を出金させるバラ紙幣出金処理時、収納部３８〜４１に収納されたバラ紙幣を結束して小束紙幣Ｗとする結束処理時、収納部３８〜４１に収納されたバラ紙幣の収納量を確定する精査処理時および収納部３８〜４１のうちの所定のものに収納された混合金種の紙幣を他のものに装填する装填処理時には、収納部３８〜４１の少なくとも一つから紙幣を繰り出すことになり、繰り出された紙幣は、まず出金判別部４４で判別されることになる。そして、出金判別部４４で真紙幣かつ正紙幣かつ正常搬送の出金可能紙幣と判別されたバラ紙幣は、バラ紙幣出金処理時には、バラ紙幣出金口２２に繰り出されることになり、結束処理時には、集積部４８に送られて所定枚数ずつ位置を合わせて集積される。また、精査処理時および装填処理時には、一時貯留部３０〜３４のうちの対応するものに搬送される。他方、いずれの場合も、出金判別部４４で真紙幣かつ正紙幣かつ正常搬送の紙幣と識別された紙幣以外のバラ紙幣は出金リジェクトボックス４５に収納される。
【００２４】
そして、第１実施形態においては、小束搬送部５０が、図２（ａ）に示すように、小束出金口５１の直前位置にあって、これと結束部４０とを受渡機構部５２を介して結ぶように配設された搬送ベルトコンベア５５と、搬送ベルトコンベア５５の上側にこれと平行に設けられてこれと同期して回転する押付ベルト機構（押付手段）５６とを有している。
【００２５】
搬送ベルトコンベア５５は、結束部４０の側に機体左右方向に沿って水平に配設されたローラ５８と、小束出金口５１の側であってローラ５８よりも所定量高い位置に機体左右方向に沿って水平に配設されたローラ５９と、これらローラ５８，５９の中間位置にこれらに平行に配設されたローラ６０と、これらローラ５８〜６０に掛けられた無端の搬送ベルト６１とを有している。ここで、ローラ５８，５９のうちのいずれか一方が図示略のモータで回転駆動されることで搬送ベルト６１および他のローラが回転する。
【００２６】
上記のようにローラ５８〜６０が配設されていることで、搬送ベルトコンベア５５は結束部４０側よりも小束出金口５１側が若干高くなるように傾斜している。この搬送ベルトコンベア５５の搬送ベルト６１は、一定幅に形成された無端のベルト本体部６３と、このベルト本体部６３の外周側から所定の等間隔をあけて外側に立ち上がる複数具体的には７つの区分部６４とを有している。
【００２７】
ベルト本体部６３においてローラ５８〜６０に掛けられた状態で、搬送ベルトコンベア５５には、その上部側にローラ５８，５９を結ぶように略直線状をなす上部搬送領域６６が形成されることになる。
【００２８】
すべての区分部６４は、上部搬送領域６６にあるとき、その移動方向に対し直交し幅方向に延在する立壁状をなしてベルト本体部６３に形成されている。上部搬送領域６６に搬送方向に隣り合う複数の区分部６４があるとき、隣り合うこれら区分部６４同士の間隔は、小束紙幣Ｗの搬送方向長さ（つまり短辺方向長さ）の最大値よりも長い間隔であって最小値の２倍よりも短い間隔をなしており、その結果、結束部４９で結束された小束紙幣Ｗは、上部搬送領域６６において隣り合う区分部６４間のベルト本体部６３の上面で形成される載置面６７に１束ずつ分離された状態で載置される。言い換えれば、搬送ベルト６１において、複数の区分部６４が小束紙幣Ｗを載置させる載置面６７に形成されている。なお、区分部６４は小束紙幣Ｗの厚みよりも低い高さであってしかも適度な剛性を有しており、小束紙幣Ｗの搬送方向の後面に当接しても撓まずにこれを小束出金口５１側に押し出すことが可能となっている。
【００２９】
ここで、上部搬送領域６６において３つ以上、具体的には４つの区分部６４が同時に存在することが可能となっており、その結果、上部搬送領域６６に複数具体的には３カ所の載置面６７が同時に存在することが可能となっていて、搬送ベルト６１は、搬送方向に分離した状態で複数具体的には３つの小束紙幣Ｗを同時に載置可能となっている。
【００３０】
搬送ベルトコンベア５５の上側に設けられた押付ベルト機構５６は、搬送ベルトコンベア５５の搬送ベルト６１に小束紙幣Ｗを押し付けるためのもので、結束部４０の側に機体左右方向に沿って水平に配設されたローラ７０と、小束出金口５１の側であってローラ７０よりも所定量高い位置に機体左右方向に沿って水平に配設されたローラ７１と、これらローラ７０，７１の中間位置にこれらに平行に配設されたローラ７２と、これらローラ７０〜７２に掛けられた無端の押付ベルト７３とを有している。ここで、ローラ７０，７１のうちのいずれか一方が図示略のモータで回転駆動されることで押付ベルト７３および他のローラが回転する。
【００３１】
上記のようにローラ７０〜７２が配設されていることで、押付ベルト機構５６は結束部４０側よりも小束出金口５１側が若干高くなるように傾斜しており、搬送ベルトコンベア５５と平行をなしている。
【００３２】
押付ベルト７３は、一定幅の無端のベルト本体部７５と、このベルト本体部７５の外周側から所定の等間隔をあけて外側に立ち上がる複数具体的には１４の押付羽根７６とを有している。
【００３３】
ベルト本体部７５においてローラ７０〜７２に掛けられた状態で、押付ベルト７３には、その下部側にローラ７０，７１を結ぶように略直線状をなす下部押付領域７８が形成されることになり、この下部押付領域７８が、搬送ベルト６１の上部搬送領域６６の直上でこれと平行をなす。なお、押付ベルト機構５６は、この下部押付領域７８の移動速度が搬送ベルトコンベア５５の上部搬送領域６６の移動速度と同じとなるように駆動される。
【００３４】
すべての押付羽根７６は、下部押付領域７８にあるとき、その移動方向に対し直交しかつ幅方向に延在する立壁状をなすようにベルト本体部７５に形成されている。下部押付領域７８に隣り合う複数の押付羽根７６があるとき、隣り合うこれら押付羽根７６同士の間隔は、搬送ベルト６１の隣り合う区分部６４同士の間隔よりも狭く、隣り合う区分部６４同士の間に複数具体的には３つの押付羽根７６が配置可能な間隔を有している。押付羽根７６の突出量は、下部押付領域７８と上部搬送領域６６との隙間の距離と略同じ長さとされている。なお、押付羽根７６は、区分部６４に比して剛性が低く、上部搬送領域６６の載置面６７に小束紙幣Ｗがある場合にはこれに当接することでその厚みによって撓み、その弾性力でこれを載置面６７に押し付ける。
【００３５】
そして、搬送ベルトコンベア５５の前側には、その搬送ベルト６１の上部搬送領域６６の略延長上に、小束出金口５１の下縁部を構成する水平な載置台部８０が配設されており、載置台部８０の上方には、小束出金口５１を開閉させるシャッタ部８２が設けられている。このシャッタ部８２は、搬送ベルト６１の上部搬送領域６６の小束出金口５１側の前端部の上方において機体左右方向に沿って水平に延在する回動軸８３と、この回動軸８３から前下がりに延出し先端側が円弧状に湾曲するシャッタ部材８４とを有しており、シャッタ部材８４は、その自重によって搬送ベルト６１に当接する。
【００３６】
ここで、搬送ベルトコンベア５５の区分部６４間の載置面６７上に載置された小束紙幣Ｗは、搬送ベルト６１の回転でその上部搬送領域６６からシャッタ部材８４を持ち上げて開きつつ載置台部８０上に載せられ、搬送ベルト６１の搬送方向後側にある区分部６４で押されて小束出金口５１から重心位置を前方に所定距離突出させると、自重により機外に落下することになる。シャッタ部材８４は小束紙幣Ｗが落下により離間すると自重で小束出金口５１を閉じる。
【００３７】
搬送ベルトコンベア５５の小束出金口５１側の端部所定位置には、搬送ベルト６１の上部搬送領域６６にある小束紙幣Ｗを検出する小束検出センサ８６が設けられており、小束出金口５１にも小束出金口５１にある小束紙幣Ｗを検出する小束検出センサ８７が設けられている。これらの小束検出センサ８６，８７は小束紙幣Ｗによって光路が遮断されることで小束紙幣Ｗが存在することを検出する。
【００３８】
以上のような構成の第１実施形態の貨幣入出金機１１では、収納部３８〜４１に収納されたバラ紙幣のうち指定金種のバラ紙幣を結束して小束紙幣Ｗとする結束処理時と、入金口２１に投入されたバラ紙幣のうち指定金種のバラ紙幣を結束して小束紙幣Ｗとするローカル整理処理時とにおいて、図示せぬ制御部が、バラ紙幣処理部１３から束紙幣処理部１４に送られた紙幣を集積部４８で所定枚数集積させた後、結束部４９で結束させて小束紙幣Ｗとする。
【００３９】
このようにして結束部４９で結束された小束紙幣Ｗが、長手方向を機体左右方向に沿わせた水平姿勢で結束部４９から受渡機構部５２の押圧板５３で押されて、小束搬送部５０の搬送ベルトコンベア５５に送り出されることになるが、制御部は、受渡機構部５２から小束搬送部５０へ小束紙幣Ｗを受け渡し可能なタイミングになると、駆動が許可された条件下においてのみ、上部搬送領域６６を小束出金口５１側に移動させるように搬送ベルトコンベア５５を駆動するとともに、これと同期して、下部押付領域７８を小束出金口５１側に移動させるように押付ベルト機構５６を駆動する。
【００４０】
次に、制御部は、駆動された搬送ベルトコンベア５５に受渡機構部５２から小束紙幣Ｗを送り出させる。このとき、制御部は、搬送ベルトコンベア５５の搬送ベルト６１の搬送速度と各区分部６４の上部搬送領域６６へ位置するタイミングとから受渡機構部５２の押圧板５３を制御して、図２（ａ）から図２（ｂ）に示すように、上部搬送領域６６の最も上流側にある所定の区分部６４に対しその後側に近接させるようにして小束紙幣Ｗの前部を載置面６７に載置させる。
【００４１】
なお、複数の小束紙幣Ｗを出金させる場合には、集積部４８から集積紙幣が結束部４９に受け渡されると次の紙幣の集積を集積部４８において開始することになり、結束部４９で結束された紙幣が下流側の受渡機構部５２に受け渡された後、集積部４８で紙幣が所定枚数集積されると次の集積紙幣の結束を結束部４９において開始することになるため、小束紙幣Ｗは間隔をおいて小束搬送部５０に搬送されることになる。
【００４２】
上記のようにして、上部搬送領域６６の最も上流側にある所定の区分部６４に近接して小束紙幣Ｗの前部を載置面６７に載置させ、図２（ｃ）に示すように、搬送ベルト６１の搬送速度に合わせて受渡機構部５２の押圧板５３で小束紙幣Ｗを押すと、この小束紙幣Ｗには、図３（ａ）に示すように、上側の押付ベルト機構５６の押付羽根７６が上側から接触して弾性変形し、図３（ｂ）に示すように、この押付羽根７６の弾性力で小束紙幣Ｗが載置面６７に押し付けられる。
【００４３】
すると、小束紙幣Ｗは、回転する搬送ベルト６１の載置面６７の摩擦力で載置面６７とともに小束出金口５１側に移動する。このようにして小束紙幣Ｗが小束出金口５１側にさらに移動すると、図３（ｃ）に示すように、次の押付羽根７６がこの小束紙幣Ｗを載置面６７に押し付けるとともに、これと前後して次の区分部６４が小束紙幣Ｗの後側で上部搬送領域６６に至る。このようにして小束紙幣Ｗが搬送ベルトコンベア５５の区分部６４と区分部６４との間の載置面６７に載置される。そして、さらなる搬送ベルト６１の回転で、小束紙幣Ｗが小束出金口５１側に移動すると、図４（ａ）から図４（ｂ）に示すように、さらに次の押付羽根７６が小束紙幣Ｗを載置面６７に押し付ける。このようにして搬送ベルトコンベア５５の区分部６４と区分部６４との間の載置面６７に載置された小束紙幣Ｗが、上側の押付ベルト機構５６の３つの押付羽根７６によって載置面６７に押し付けられながら、搬送ベルト６１の回転による上部搬送領域６６の小束出金口５１側への移動で小束出金口５１側に向けて搬送される。
【００４４】
そして、この小束紙幣Ｗは、図４（ｃ）に示すように、上部搬送領域６６の前端所定位置まで送られるとその先端部の通過が小束検出センサ８６で検出され、その後、図５（ａ）に示すように、搬送ベルト６１の上部搬送領域６６からシャッタ部材８４を持ち上げながら、図５（ｂ）に示すように、載置台部８０上に載せられ、搬送ベルト６１の載置面６７の摩擦力で載置台部８０上を前方に滑りながら移動して、小束出金口５１から機外に一部突出する。
【００４５】
制御部は、図５（ｂ）に示すように、この小束紙幣Ｗの後端部の通過が小束検出センサ８６で検出されたタイミングに基づいて、搬送ベルトコンベア５５および押付ベルト機構５６を停止させることになり、これにより、小束紙幣Ｗは、小束出金口５１から機外に一部突出した状態で停止する。この状態で、操作者による小束紙幣Ｗの取り出しを待つことになる。
【００４６】
そして、小束紙幣Ｗが小束出金口５１から取り出されたことが小束出金口５１の小束検出センサ８７で検出されると、制御部は、搬送ベルトコンベア５５および押付ベルト機構５６の駆動を許可することになり、次に出金させる小束紙幣Ｗが受渡機構部５２で小束搬送部５０の直前位置まで搬送され、受渡機構部５２から小束搬送部５０へ小束紙幣Ｗを受け渡し可能なタイミングになると、上記と同様にして、この小束紙幣Ｗの搬送ベルトコンベア５５への受け渡しから小束出金口５１に向けての搬送が開始される。なお、集積部４８で集積された紙幣が所定枚数に満たないバラの端数紙幣Ｓである場合、この端数紙幣Ｓは、結束部４９で結束が行われないものの小束紙幣Ｗと同様に小束搬送部５０で小束出金口５１に搬送され、図５（ｃ）に示すようにシャッタ部材８４で押さえられながら小束出金口５１から一部突出した状態で停止させられて、操作者による取り出しを待つことになる。
【００４７】
なお、小束出金口５１の前に小束紙幣Ｗを受け取る受け皿等が配置される場合には、制御部は、小束紙幣Ｗの後端部が小束検出センサ８６で検出されても搬送ベルトコンベア５５および押付ベルト機構５６を停止させずに駆動し続けるようにする。この場合、小束紙幣Ｗは、図６に示すように、搬送ベルト６１の搬送方向後側にある区分部６４でさらに前方に押され、小束出金口５１から重心位置を前方に所定距離突出させることで、自重によりシャッタ部材８４を回動させながら機外に落下することになる。そして、小束紙幣Ｗが小束出金口５１から放出されたことが小束検出センサ８７で検出されると、制御部は、搬送ベルトコンベア５５および押付ベルト機構５６の駆動を許可することになり、次に出金させる小束紙幣Ｗが受渡機構部５２から小束搬送部５０へ受け渡し可能なタイミングになると、小束搬送部５０への受け渡しを開始させる。他方、次に出金させる小束紙幣Ｗが受渡機構部５２から小束搬送部５０へ受け渡し可能なタイミングになければ、搬送ベルトコンベア５５および押付ベルト機構５６を停止させる。
【００４８】
以上に述べた第１実施形態の貨幣入出金機１１によれば、小束出金口５１の直前位置に設けられた搬送ベルト６１が、小束紙幣Ｗの搬送方向長さより長い間隔で形成された複数の区分部６４の隣り合うもの同士の間に小束紙幣Ｗを載置させて小束出金口５１に搬送するため、高さを制限しつつ小束紙幣Ｗを小束紙幣Ｗ同士を分離した状態で円滑に小束出金口５１から出金させることができる。
【００４９】
また、搬送ベルト６１の上側に設けられた押付ベルト機構５６が、小束紙幣Ｗを搬送ベルト６１の載置面６７に押し付けるため、区分部６４の隣り合うもの同士の間の載置面６７に載置させられた小束紙幣Ｗをその状態に良好に維持しつつ搬送できる。
【００５０】
次に、本発明の第２実施形態の貨幣入出金機を主に図１、図２、図７および図８を参照して以下に第１実施形態との相違部分を中心に説明する。なお、第１実施形態と同様の部分は同一の符号を付しその説明は略す。
第２実施形態では、第１実施形態に対し制御部の制御内容を変更しており、その構造は図１および図２に示す第１実施形態と同じである。
【００５１】
つまり、上記した構造の貨幣入出金機１１においては、図２に示すように、搬送ベルト６１が、上部搬送領域６６において３つ以上、具体的には４つの区分部６４が同時に存在することが可能となっており、その結果、搬送ベルト６１には、複数具体的には３つの小束紙幣Ｗを同時に、搬送方向に分けて３カ所の載置面６７に載置可能となっている。このため、第２実施形態では、一度の結束処理において、複数束の小束紙幣Ｗを出金させる場合に、一束分ずつ集積され一束ずつ結束が行われることによって、複数束の小束紙幣Ｗが比較的長い間隔をあけて搬送ベルト６１へ送り出される場合であっても、複数の小束紙幣Ｗを出金前に可能な限り纏めて小束出金口５１から連続的に出金させる。
【００５２】
例えば、一度の処理で出金させる小束紙幣Ｗが４束である場合には、図７（ａ）に示すように、結束部４９で結束された１束目の小束紙幣Ｗが、結束部４９から受渡機構部５２を介して小束搬送部５０の搬送ベルトコンベア５５に受け渡し可能なタイミングになると、制御部は、上部搬送領域６６を小束出金口５１側に移動させるように搬送ベルトコンベア５５を駆動するとともに、これと同期して押付ベルト機構５６を駆動する。そして、制御部は、上記と同様にして、駆動された搬送ベルトコンベア５５の上部搬送領域６６の最も上流側にある所定の区分部６４に対しその後側に近接するようにして小束紙幣Ｗを送り出させ、次の区分部６４がこの小束紙幣Ｗの後側で上部搬送領域６６に至り、図７（ｂ）に示すように、１束目の小束紙幣Ｗが搬送ベルトコンベア５５の区分部６４と区分部６４との間の最も上流側の載置面６７に載置されるタイミングに基づいて、搬送ベルトコンベア５５および押付ベルト機構５６を停止させる。
【００５３】
制御部は、次に出金させる２束目の小束紙幣Ｗが結束部４９から受渡機構部５２を介して小束搬送部５０の搬送ベルトコンベア５５に受け渡し可能なタイミングになると、上部搬送領域６６を小束出金口５１側に移動させるように搬送ベルトコンベア５５を駆動するとともに、これと同期して押付ベルト機構５６を駆動する。制御部は、上記と同様にして、駆動された搬送ベルトコンベア５５の１束目の小束紙幣Ｗに後側で隣り合う所定の区分部６４に対しその後側に近接するようにして２束目の小束紙幣Ｗを送り出させる。そして、次の区分部６４が２束目の小束紙幣Ｗの後側で上部搬送領域６６に至り、その結果、２束目の小束紙幣Ｗが搬送ベルトコンベア５５の区分部６４と区分部６４との間の最も上流側の載置面６７に載置されるタイミングに基づいて、制御部が、搬送ベルトコンベア５５および押付ベルト機構５６を停止させる。
【００５４】
制御部は、次に出金させる３束目の小束紙幣Ｗが結束部４９から受渡機構部５２を介して小束搬送部５０の搬送ベルトコンベア５５に受け渡し可能なタイミングになると、上部搬送領域６６を小束出金口５１側に移動させるように搬送ベルトコンベア５５を駆動するとともに、これと同期して押付ベルト機構５６を駆動する。制御部は、上記と同様にして、駆動された搬送ベルトコンベア５５の２束目の小束紙幣Ｗに後側で隣り合う所定の区分部６４に対しその後側に近接するようにして３束目の小束紙幣Ｗを送り出させる。そして、次の区分部６４が３束目の小束紙幣Ｗの後側で上部搬送領域６６に至り、図７（ｃ）に示すように、３束目の小束紙幣Ｗが搬送ベルトコンベア５５の区分部６４と区分部６４との間の最も上流側の載置面６７に載置されるタイミングに基づいて、制御部が、搬送ベルトコンベア５５および押付ベルト機構５６を停止させる。なお、この状態では、搬送ベルトコンベア５５の搬送ベルト６１上に同時に３束の小束紙幣Ｗが、区分部６４で搬送方向に分離されて載置された状態となる。
【００５５】
制御部は、次に出金させる４束目の小束紙幣Ｗが結束部４９から受渡機構部５２を介して小束搬送部５０の搬送ベルトコンベア５５に受け渡し可能なタイミングになると、上部搬送領域６６を小束出金口５１側に移動させるように搬送ベルトコンベア５５を駆動するとともに、これと同期して押付ベルト機構５６を駆動する。制御部は、上記と同様にして、駆動された搬送ベルトコンベア５５の３束目の小束紙幣Ｗに後側で隣り合う所定の区分部６４に対しその後側に近接するようにして４束目の小束紙幣Ｗを送り出させる。そして、１束目の小束紙幣Ｗの後端部の通過が小束検出センサ８６で検出されたタイミングに基づいて、搬送ベルトコンベア５５および押付ベルト機構５６を停止させることになり、これにより、１束目の小束紙幣Ｗは、小束出金口５１から機外に一部突出した状態で停止する。この状態で、操作者による１束目の小束紙幣Ｗの取り出しを待つことになる。
【００５６】
そして、１束目の小束紙幣Ｗが小束出金口５１から取り出されたことが小束検出センサ８７で検出されると、制御部は、即座に搬送ベルトコンベア５５および押付ベルト機構５６を駆動し、２束目の小束紙幣Ｗの後端部の通過が小束検出センサ８６で検出されたタイミングに基づいて、搬送ベルトコンベア５５および押付ベルト機構５６を再び停止させることになる。これにより、１束目の小束紙幣Ｗが取り出された後の小束出金口５１から速やかに２束目の小束紙幣Ｗが一部突出する状態となり、操作者による取り出しを待つことになる。
【００５７】
２束目の小束紙幣Ｗが小束出金口５１から取り出されたことが小束検出センサ８７で検出されると、制御部は、即座に搬送ベルトコンベア５５および押付ベルト機構５６を駆動し、３束目の小束紙幣Ｗの後端部の通過が小束検出センサ８６で検出されたタイミングに基づいて、搬送ベルトコンベア５５および押付ベルト機構５６を再び停止させることになる。これにより、２束目の小束紙幣Ｗが取り出された後の小束出金口５１から速やかに３束目の小束紙幣Ｗが一部突出する状態となり、操作者による取り出しを待つことになる。
【００５８】
３束目の小束紙幣Ｗが小束出金口５１から取り出されたことが小束検出センサ８７で検出されると、制御部は、即座に搬送ベルトコンベア５５および押付ベルト機構５６を駆動し、４束目の小束紙幣Ｗの後端部の通過が小束検出センサ８６で検出されたタイミングに基づいて、搬送ベルトコンベア５５および押付ベルト機構５６を再び停止させることになる。これにより、３束目の小束紙幣Ｗが取り出された後の小束出金口５１から速やかに４束目の小束紙幣Ｗが一部突出する状態となり、操作者による取り出しを待つことになる。
【００５９】
４束目の小束紙幣Ｗが小束出金口５１から取り出されたことが小束検出センサ８７で検出されると、制御部は、４束の小束紙幣Ｗの出金が終了したと判断する。
【００６０】
なお、一度の結束処理で、小束紙幣Ｗを４束を超えて出金させる場合には、上記のように、可能な限り多くの小束紙幣Ｗを搬送ベルトコンベア５５の搬送ベルト６１上に同時に載置させた状態とするとともに受渡機構部５２から小束搬送部５０に小束紙幣Ｗを受け渡し可能な状態として、小束出金口５１から順次繰り出すことを適宜繰り返すことになる。また、一度の結束処理で、４束より少ない小束紙幣Ｗを出金させる場合も、可能な限り多くの小束紙幣Ｗを搬送ベルトコンベア５５の搬送ベルト６１上に同時に載置させる状態とし搬送ベルト６１上の小束紙幣Ｗを小束出金口５１に可能な限り近接させた状態として、搬送ベルト６１上の小束紙幣Ｗを小束出金口５１に順次突出させるように繰り出させることになる。
【００６１】
また、小束出金口５１の前に小束紙幣Ｗを受け取る受け皿等が配置される場合には、上記と同様にして、可能な限り多くの小束紙幣Ｗを搬送ベルトコンベア５５の搬送ベルト６１上に同時に載置させた状態とした後に、図８に示すように、小束受渡部５２で小束紙幣Ｗを搬送ベルト６１に受け渡しつつ小束紙幣Ｗの後端部の通過が小束検出センサ８６で検出されても搬送ベルトコンベア５５および押付ベルト機構５６を停止させずに駆動し続けるようにする。すると、搬送ベルト６１上に同時に載置された複数の小束紙幣Ｗが、区分部６４で押され、大きな間隔をあけずに連続的に機外に放出されることになる。
【００６２】
以上のような第２実施形態の貨幣入出金機１１によれば、搬送ベルト６１が、搬送方向に分離した状態で複数の小束紙幣Ｗを同時に載置させるため、搬送ベルト６１へ複数束の小束紙幣Ｗが間隔をあけて送り出される場合であっても、複数の小束紙幣Ｗを出金前に纏めることができ、纏めて小束出金口５１から出金させることができる。したがって、受け取る側が複数束を纏めて受け取ることができ、受け取りが容易となる。
【００６３】
次に、本発明の第３実施形態の貨幣入出金機を主に図９〜図１１を参照して以下に第１実施形態との相違部分を中心に説明する。なお、第１実施形態と同様の部分は同一の符号を付しその説明は略す。
【００６４】
第３実施形態においては、載置台部８０に、搬送ベルトコンベア５５から押し出された小束紙幣Ｗを載置させる載置板９０と、これを上方に持ち上げるソレノイド９１とを備えた離間機構（離間手段）９２が設けられている。この離間機構９２は、小束出金口５１から機外に一部突出する状態で載置板９０に載置された小束紙幣Ｗを搬送ベルト６１が回転しても区分部６４に接触しない位置まで持ち上げる。なお、図示は略すが、載置板９０には区分部６４との干渉を避けるスリットが形成されている。また、小束出金口５１に近接して緑色ランプ９４および赤色ランプ９５が設けられている。
【００６５】
そして、第３実施形態においても、一度の結束処理において、複数束の小束紙幣Ｗを出金させる場合に、一束分ずつ集積され一束ずつ結束が行われることによって、複数束の小束紙幣Ｗが比較的長い間隔をあけて搬送ベルト６１へ送り出される場合であっても、第２実施形態と同様に複数の小束紙幣Ｗを出金前に可能な限り纏めて小束出金口５１から連続的に出金させることになり、その際に、小束出金口５１に１束目の小束紙幣Ｗを突出させた状態で待機する。
【００６６】
例えば、一度の処理で出金させる小束紙幣Ｗが５束である場合には、結束部４９で結束された１束目の小束紙幣Ｗが、図９（ａ）に示すように、結束部４９から受渡機構部５２を介して小束搬送部５０の搬送ベルトコンベア５５に受け渡し可能なタイミングになると、制御部は、赤色ランプ９５のみを点灯させるとともに、上部搬送領域６６を小束出金口５１側に移動させるように搬送ベルトコンベア５５を駆動し、これと同期して押付ベルト機構５６を駆動する。そして、制御部は、上記と同様にして、駆動された搬送ベルトコンベア５５の上部搬送領域６６における最も上流側の所定の区分部６４に対しその後側に近接するようにして小束紙幣Ｗを送り出させると、次の区分部６４がこの小束紙幣Ｗの後側で上部搬送領域６６に至り、１束目の小束紙幣Ｗが搬送ベルトコンベア５５の区分部６４と区分部６４との間の載置面６７に載置される。駆動が続けられる搬送ベルト６１によって、１束目の小束紙幣Ｗが小束出金口５１側に搬送され、その後端部の通過が小束検出センサ８６で検出されたタイミングに基づいて、制御部は、図９（ｂ）に示すように、搬送ベルトコンベア５５および押付ベルト機構５６を停止させた後、図９（ｃ）に示すように、離間機構９２のソレノイド９１を駆動して小束紙幣Ｗを載置板９０毎上昇させることになる。これにより、１束目の小束紙幣Ｗが、載置板９０上に載置され、かつ小束出金口５１から一部突出する状態で停止することになり、操作者による取り出しを待つことになる。但し、赤色ランプ９５を点灯させ取り出しを視覚的に規制しているため、操作者は小束紙幣Ｗを取り出すことはない。
【００６７】
次に、制御部は、図１０（ａ）に示すように、次に出金させる２束目の小束紙幣Ｗが結束部４９から受渡機構部５２を介して小束搬送部５０の搬送ベルトコンベア５５に受け渡し可能なタイミングになると、上部搬送領域６６を小束出金口５１側に移動させるように搬送ベルトコンベア５５を駆動するとともに、これと同期して押付ベルト機構５６を駆動する。このとき、１束目の小束紙幣Ｗは、搬送ベルト６１から離間しており、小束出金口５１に停止した状態が維持される。そして、制御部は、上記と同様にして、駆動された搬送ベルトコンベア５５の上部搬送領域６６における最も上流側の所定の区分部６４に対しその後側に近接するようにして２束目の小束紙幣Ｗを送り出させる。そして、制御部は、図１０（ｂ）に示すように、次の区分部６４が２束目の小束紙幣Ｗの後側で上部搬送領域６６に至って、２束目の小束紙幣Ｗが搬送ベルトコンベア５５の区分部６４と区分部６４との間の最も上流側の載置面６７に載置されるタイミングに基づいて、搬送ベルトコンベア５５および押付ベルト機構５６を停止させる。
【００６８】
次に、制御部は、図１０（ｃ）に示すように、次に出金させる３束目の小束紙幣Ｗが結束部４９から受渡機構部５２を介して小束搬送部５０の搬送ベルトコンベア５５に受け渡し可能なタイミングになると、上部搬送領域６６を小束出金口５１側に移動させるように搬送ベルトコンベア５５を駆動するとともに、これと同期して押付ベルト機構５６を駆動する。このときも、１束目の小束紙幣Ｗは、搬送ベルト６１から離間しており、小束出金口５１に停止した状態が維持される。そして、制御部は、上記と同様にして、駆動された搬送ベルトコンベア５５の上部搬送領域６６における最も上流側にあって２束目の小束紙幣Ｗに後側で隣り合う所定の区分部６４に対しその後側に近接するようにして３束目の小束紙幣Ｗを送り出させる。そして、制御部は、図１１（ａ）に示すように、次の区分部６４が３束目の小束紙幣Ｗの後側で上部搬送領域６６に至り、３束目の小束紙幣Ｗが搬送ベルトコンベア５５の区分部６４と区分部６４との間の最も上流側の載置面６７に載置されるタイミングに基づいて、搬送ベルトコンベア５５および押付ベルト機構５６を停止させる。
【００６９】
次に、制御部は、図１１（ａ）に示すように、次に出金させる４束目の小束紙幣Ｗが結束部４９から受渡機構部５２を介して小束搬送部５０の搬送ベルトコンベア５５に受け渡し可能なタイミングになると、上部搬送領域６６を小束出金口５１側に移動させるように搬送ベルトコンベア５５を駆動するとともに、これと同期して押付ベルト機構５６を駆動する。このときも、１束目の小束紙幣Ｗは、搬送ベルト６１から離間しており、小束出金口５１に停止した状態が維持される。そして、制御部は、上記と同様にして、駆動された搬送ベルトコンベア５５の上部搬送領域６６における最も上流側にあって３束目の小束紙幣Ｗに後側で隣り合う所定の区分部６４に対しその後側に近接するようにして４束目の小束紙幣Ｗを送り出させる。そして、制御部は、図１１（ｂ）に示すように、次の区分部６４が４束目の小束紙幣Ｗの後側で上部搬送領域６６に至り、４束目の小束紙幣Ｗが搬送ベルトコンベア５５の区分部６４と区分部６４との間の最も上流側の載置面６７に載置されるタイミングに基づいて、搬送ベルトコンベア５５および押付ベルト機構５６を停止させる。
【００７０】
次に、制御部は、図１１（ｂ）に示すように、次に出金させる５束目の小束紙幣Ｗが結束部４９から受渡機構部５２を介して小束搬送部５０の搬送ベルトコンベア５５に受け渡し可能なタイミング（このとき、搬送ベルトコンベア５５の前後にそれぞれ１束が近接配置され、搬送ベルトコンベア５５の搬送ベルト６１上に３束の小束紙幣Ｗが同時に載置された状態となる。）になると、離間機構９２のソレノイド９１により１束目の小束紙幣Ｗを載置板９０とともに下降させることになり、これにより、小束出金口５１から５束の小束紙幣Ｗが連続的に並ぶことになる。制御部は、この載置板９０の下降後、赤色ランプ９５を消灯させ緑色ランプ９４を点灯させる。すると、この緑色ランプ９４の点灯で、小束紙幣Ｗの取り出しを視覚的に促すため、操作者は１束目の小束紙幣Ｗを取り出す。
【００７１】
そして、１束目の小束紙幣Ｗが小束出金口５１から取り出されたことが小束検出センサ８７で検出されると、制御部は、図１１（ｃ）に示すように、即座に搬送ベルトコンベア５５および押付ベルト機構５６を駆動し、駆動された搬送ベルトコンベア５５の上部搬送領域６６における最も上流側にあって４束目の小束紙幣Ｗに後側で隣り合う所定の区分部６４に対しその後側に近接するようにして５束目の小束紙幣Ｗを小束受渡部５２で送り出させる。その後、２束目の小束紙幣Ｗの後端部の通過が小束検出センサ８６で検出されたタイミングに基づいて、搬送ベルトコンベア５５および押付ベルト機構５６を再び停止させることになる。これにより、１束目の小束紙幣Ｗが取り出された後の小束出金口５１から速やかに２束目の小束紙幣Ｗが一部突出する状態となり、操作者による取り出しを待つことになる。
【００７２】
２束目の小束紙幣Ｗが小束出金口５１から取り出されたことが小束検出センサ８７で検出されると、制御部は、即座に搬送ベルトコンベア５５および押付ベルト機構５６を駆動し、３束目の小束紙幣Ｗの後端部の通過が小束検出センサ８６で検出されたタイミングに基づいて、搬送ベルトコンベア５５および押付ベルト機構５６を再び停止させることになる。これにより、２束目の小束紙幣Ｗが取り出された後の小束出金口５１から速やかに３束目の小束紙幣Ｗが一部突出する状態となり、操作者による取り出しを待つことになる。
【００７３】
３束目の小束紙幣Ｗが小束出金口５１から取り出されたことが小束検出センサ８７で検出されると、制御部は、即座に搬送ベルトコンベア５５および押付ベルト機構５６を駆動し、４束目の小束紙幣Ｗの後端部の通過が小束検出センサ８６で検出されたタイミングに基づいて、搬送ベルトコンベア５５および押付ベルト機構５６を再び停止させることになる。これにより、３束目の小束紙幣Ｗが取り出された後の小束出金口５１から速やかに４束目の小束紙幣Ｗが一部突出する状態となり、操作者による取り出しを待つことになる。
【００７４】
４束目の小束紙幣Ｗが小束出金口５１から取り出されたことが小束検出センサ８７で検出されると、制御部は、即座に搬送ベルトコンベア５５および押付ベルト機構５６を駆動し、５束目の小束紙幣Ｗの後端部の通過が小束検出センサ８６で検出されたタイミングに基づいて、搬送ベルトコンベア５５および押付ベルト機構５６を再び停止させることになる。これにより、４束目の小束紙幣Ｗが取り出された後の小束出金口５１から速やかに５束目の小束紙幣Ｗが一部突出する状態となり、操作者による取り出しを待つことになる。
【００７５】
５束目の小束紙幣Ｗが小束出金口５１から取り出されたことが小束検出センサ８７で検出されると、制御部は、５束の小束紙幣Ｗの出金が終了したと判断する。
【００７６】
なお、一度の結束処理で、小束紙幣Ｗを５束を超えて出金させる場合には、上記を適宜繰り返すことによって、１束目の小束紙幣Ｗを小束出金口５１から突出させた状態で載置板９０で上昇させ、その後、可能な限り多くの小束紙幣Ｗを搬送ベルトコンベア５５の搬送ベルト６１上に同時に載置させた状態とするとともに受渡機構部５２から小束搬送部５０に小束紙幣Ｗを受け渡し可能な状態として、１束目の小束紙幣Ｗを載置板９０で下降させてから、小束出金口５１から一束ずつ取り出させるように繰り出させることになる。また、一度の結束処理で、４束より少ない小束紙幣Ｗを出金させる場合も、１束目の小束紙幣Ｗを小束出金口５１から突出させた状態で載置板９０で上昇させ、その後、可能な限り多くの小束紙幣Ｗを搬送ベルトコンベア５５の搬送ベルト６１上に同時に載置させた状態としながら、搬送ベルト６１上の小束紙幣Ｗを可能な限り小束出金口５１に近接させた状態とし、１束目の小束紙幣Ｗを載置板９０で下降させてから、小束出金口５１から一束ずつ取り出させるように繰り出させることになる。
【００７７】
また、小束出金口５１の前に小束紙幣Ｗを受け取る受け皿等が配置される場合には、上記と同様にして、１束目の小束紙幣Ｗを小束出金口５１から突出させた状態で載置板９０で上昇させ、その後、可能な限り多くの小束紙幣Ｗを搬送ベルトコンベア５５の搬送ベルト６１上に同時に載置させた状態としながら、搬送ベルト６１上の小束紙幣Ｗを小束出金口５１に可能な限り近接させた状態とし、１束目の小束紙幣Ｗを載置板９０で下降させてから、搬送ベルトコンベア５５および押付ベルト機構５６を駆動するようにする。すると、小束出金口５１に載置された小束紙幣Ｗが搬送ベルト６１の区分部６４で押されて小束出金口５１から落下し、搬送ベルト６１上に同時に載置された複数の小束紙幣Ｗが、順次大きな間隔をあけずにそれぞれの後方に隣り合う区分部６４で押されて連続的に機外に放出されることになる。
【００７８】
以上のような第３実施形態の貨幣入出金機１１によれば、搬送ベルト６１が、搬送方向に分離した状態で複数の小束紙幣Ｗを同時に載置させるため、搬送ベルト６１へ複数束の小束紙幣Ｗが間隔をあけて送り出される場合であっても、複数の小束紙幣Ｗを出金前に纏めることができ、纏めて小束出金口５１から出金させることができる。したがって、受け取る側が複数束を纏めて受け取ることができ、受け取りが容易となる。
【００７９】
また、小束紙幣Ｗを複数束を纏めて出金させる場合に、１束目の小束紙幣Ｗを小束出金口５１から一部突出させた状態で、小束出金口５１に設けられた離間機構９２で搬送ベルト６１から上方向に離間させると、搬送ベルト６１による搬送の影響を受けることなく１束目の小束紙幣Ｗを停止させることができる。この状態で、間隔をあけて送り出される後続の小束紙幣Ｗを搬送ベルト６１に纏めることができ、纏めて小束出金口５１から出金させることができる。したがって、複数の小束紙幣Ｗを纏めて小束出金口５１から出金させる場合であっても、１束目の小束紙幣Ｗを小束出金口５１から一部突出させた状態とすることで、出金処理が良好に行われていることを視認させることができる。
【００８０】
なお、上記した離間機構９２は、小束出金口５１から一部突出した状態の小束紙幣Ｗの少なくとも後端部を搬送ベルト６１から上下方向に相対的に離間させるものであれば良く、例えば搬送ベルトコンベア５５の小束出金口５１側を下げる機構を設けても良い。
【００８１】
次に、本発明の第４実施形態の貨幣入出金機を主に図１２〜図１４を参照して以下に第１実施形態との相違部分を中心に説明する。なお、第１実施形態と同様の部分は同一の符号を付しその説明は略す。
【００８２】
第４実施形態においては、小束搬送部５０の搬送ベルトコンベア５５が、結束部４０の側に機体左右方向に沿って水平に配設されたローラ５８と、小束出金口５１の側であってローラ５８よりも所定量高い位置に機体左右方向に沿って水平に配設されたローラ５９と、これらローラ５８，５９に掛けられた無端の搬送ベルト６１とを有しており、この場合も、ローラ５８，５９のうちのいずれか一方が図示略のモータで回転駆動されることで搬送ベルト６１および他のローラが回転する。
【００８３】
搬送ベルト６１は、一定幅に形成された第１実施形態のものよりも回転方向の長さが短い無端のベルト本体部６３と、このベルト本体部６３の外周側から所定の等間隔をあけて外側に立ち上がる複数具体的には２つの第１実施形態と同様の区分部６４とを有している。
【００８４】
また、第４実施形態においては、小束搬送部５０が、搬送ベルトコンベア５５の上側にこれと平行に設けられてこれと同期して回転する押付羽根車（押付手段）９８を有している。さらに、小束出金口５１の前方に小束紙幣Ｗを受ける受皿部１００が設けられている。
【００８５】
搬送ベルトコンベア５５の上側に設けられた押付羽根車９８は、搬送ベルトコンベア５５の搬送ベルト６１に小束紙幣Ｗを押し付けるためのもので、機体左右方向に沿って水平に配設された円筒状のボス部９９と、このボス部９９の外周側から所定の等間隔をあけて外側に放射状に立ち上がる複数具体的には８つの第１実施形態と同様の押付羽根７６とを有している。この押付羽根車９８は下端部に位置するときの搬送ベルトコンベア５５の上部搬送領域６６の移動速度と同じとなるように駆動される。そして、搬送ベルトコンベア５５の前側には、小束出金口５１の下縁部を構成する載置台部８０が、搬送ベルト６１の上部搬送領域６６の略延長上で前上がりに設けられている。
【００８６】
以上のような構成の第４実施形態の貨幣入出金機１１においては、結束部４９で結束された小束紙幣Ｗが、長手方向を機体左右方向に沿わせた水平姿勢で結束部４９から受渡機構部５２の押圧板５３で押されて、小束搬送部５０の搬送ベルトコンベア５５に送り出されることになるが、制御部は、受け渡し可能なタイミングになると、上部搬送領域６６を小束出金口５１側に移動させるように搬送ベルトコンベア５５を駆動するとともに、これと同期して押付羽根車９８を駆動する。
【００８７】
次に、制御部は、駆動された搬送ベルトコンベア５５に受渡機構部５２から小束紙幣Ｗを送り出させる。このとき、制御部は、搬送ベルトコンベア５５の搬送ベルト６１の搬送速度と各区分部６４の上部搬送領域６６へ位置するタイミングとから受渡機構部５２を制御して、図１２（ａ）から図１２（ｂ）に示すように、所定の区分部６４に対しその後側に近接させるようにして小束紙幣Ｗの前部を載置面６７に載置させる。
【００８８】
このようにして、区分部６４に近接して小束紙幣Ｗの前部を載置面６７に載置させた後、図１２（ｃ）に示すように、受渡機構部５２の押圧板５３で押圧しつつ載置面６７の移動で小束紙幣Ｗを載置面６７とともに小束出金口５１側に移動させる。すると、図１３（ａ）に示すように、上側の押付羽根車９８の押付羽根７６が上側から小束紙幣Ｗに接触して弾性変形し、この押付羽根７６の弾性力で小束紙幣Ｗが載置面６７に押し付けられ、さらに移動すると、図１３（ｂ）に示すように、次の押付羽根７６がこの小束紙幣Ｗを載置面６７に押し付ける。そして、受渡機構部５２の押圧板５３で小束紙幣Ｗを最も小束出金口５１側に移動させると、図１３（ｃ）に示すように、搬送ベルト６１の小束紙幣Ｗの前側の区分部６４が上部搬送領域６６から退避した後、図１４（ａ）に示すように、次の区分部６４が小束紙幣Ｗの後側で上部搬送領域６６に至る。このようにして小束紙幣Ｗが搬送ベルトコンベア５５の区分部６４と区分部６４との間の載置面６７に載置される。そして、後側の区分部６４で押されることで、図１４（ｂ）に示すように、小束紙幣Ｗを小束出金口５１から一部突出させた状態となると、搬送ベルトコンベア５５および押付羽根車９８を停止させる。これにより、小束紙幣Ｗの操作者による取り出しを待つことになる。なお、図１４（ｃ）に示すように、小束出金口５１の前方に小束紙幣Ｗを受ける受皿部１００があることから、小束紙幣Ｗを小束出金口５１から一部突出させた状態となっても、搬送ベルトコンベア５５および押付羽根車９８を停止させずに駆動し続けて、小束紙幣Ｗを小束出金口５１から重心位置を前方に所定距離突出させて、自重により小束出金口５１から落下させるようにしても良い。
【００８９】
以上に述べた第４実施形態の貨幣入出金機においても、小束出金口５１の直前位置に設けられた搬送ベルト６１が、小束紙幣Ｗの搬送方向長さより長い間隔で形成された複数の区分部６４の隣り合うもの同士の間の載置面６７に小束紙幣Ｗを載置させて小束出金口５１に搬送するため、高さを制限しつつ小束紙幣Ｗを小束紙幣Ｗ同士を分離した状態で円滑に小束出金口５１から出金させることができる。
【００９０】
また、搬送ベルト６１の上側に設けられた押付羽根車９８が、小束紙幣Ｗを搬送ベルト６１に押し付けるため、区分部６４の隣り合うもの同士の間の載置面６７に載置させられた小束紙幣Ｗをその状態に良好に維持しつつ搬送できる。
【図面の簡単な説明】
【００９１】
【図１】本発明の第１実施形態に係る貨幣入出金機を示すもので、（ａ）は正面図、（ｂ）は側断面図である。
【図２】本発明の第１実施形態に係る貨幣入出金機の要部の動作説明図である。
【図３】本発明の第１実施形態に係る貨幣入出金機の要部の動作説明図である。
【図４】本発明の第１実施形態に係る貨幣入出金機の要部の動作説明図である。
【図５】本発明の第１実施形態に係る貨幣入出金機の要部の動作説明図である。
【図６】本発明の第１実施形態に係る貨幣入出金機の要部の動作説明図である。
【図７】本発明の第２実施形態に係る貨幣入出金機の要部の動作説明図である。
【図８】本発明の第２実施形態に係る貨幣入出金機の要部の動作説明図である。
【図９】本発明の第３実施形態に係る貨幣入出金機の要部の動作説明図である。
【図１０】本発明の第３実施形態に係る貨幣入出金機の要部の動作説明図である。
【図１１】本発明の第３実施形態に係る貨幣入出金機の要部の動作説明図である。
【図１２】本発明の第４実施形態に係る貨幣入出金機の要部の動作説明図である。
【図１３】本発明の第４実施形態に係る貨幣入出金機の要部の動作説明図である。
【図１４】本発明の第４実施形態に係る貨幣入出金機の要部の動作説明図である。
【符号の説明】
【００９２】
１１  貨幣入出金機（小束紙幣処理機）
５１  小束出金口
５６  押付ベルト機構（押付手段）
６１  搬送ベルト
６４  区分部
６７  載置面
９２  離間機構（離間手段）
９８  押付羽根車（押付手段）
Ｗ  小束紙幣
【図１】
2006293733.tif 000003
【図２】
2006293733.tif 000004
【図３】
2006293733.tif 000005
【図４】
2006293733.tif 000006
【図５】
2006293733.tif 000007
【図６】
2006293733.tif 000008
【図７】
2006293733.tif 000009
【図８】
2006293733.tif 000010
【図９】
2006293733.tif 000011
【図１０】
2006293733.tif 000012
【図１１】
2006293733.tif 000013
【図１２】
2006293733.tif 000014
【図１３】
2006293733.tif 000015
【図１４】
2006293733.tif 000016